(57)【要約】【課題】床衝撃音の遮断性能が良好で施工性を向上させる床構造を得る。【解決手段】上床材１４に振動が加わった場合、この振動は、複数の動吸振器２５へ伝わり、上床材１４から床スラブ１２への振動を減衰する。ここで、動吸振器２５は、大振幅の振動が生じうる第１の配置位置Ｘ１では、大きな振動減衰力を備え、生じる振動が小振幅とされる第２の配置位置Ｘ２では、第１の配置位置Ｘ１に比べて小さな振動減衰力を備えているので、上床材１４に大振幅の振動が生じた場合にも、床衝撃音が良好に遮断される。また、施工時には、従来のように、制振材又は遮音材を床全面に配置する必要がないので、施工性が良い。【選択図】図１
2007120029.tif 000002
【特許請求の範囲】
【請求項１】
床スラブ上に設けられる複数の支持手段と、
前記支持手段上に支持され、前記床スラブとの間に間隔をもって配置される床材と、
前記支持手段又は前記床材に支持されて複数配置され、振動を減衰させると共に、大振幅の振動が生じうる第１の配置位置では、大きな振動減衰力を備え、前記第１の配置位置に比べて生じる振動が小振幅とされる第２の配置位置では、前記第１の配置位置に比べて小さな振動減衰力を備えた動吸振器と、
を有することを特徴とする床構造。
【請求項２】
前記第１の配置位置は、前記床スラブの中央領域の上方、及び、前記床材の上方が区画された状態では区画された各区画部の中央領域の下方、とされる範囲内にあることを特徴とする請求項１記載の床構造。
【請求項３】
前記動吸振器は、前記支持手段又は前記床材に支持されて弾性変形可能であって振動を減衰させる弾性部材と、前記弾性部材に支持されて前記弾性部材の弾性変形によって変位して振動を減衰させる質量体と、を備え、
前記第２の配置位置に設けられた前記動吸振器の前記質量体は、前記第１の配置位置に設けられた前記動吸振器の前記質量体に比べて、質量が小さいことを特徴とする請求項１又は請求項２に記載の床構造。
【発明の詳細な説明】
【技術分野】
【０００１】
本発明は、支持手段を介して二重床とされた床構造に関する。
【背景技術】
【０００２】
床構造においては、床衝撃音の遮断性能を向上させるために、支持部材を介して床基盤上から所定の高さに床を設ける二重床構造とする場合がある。このような二重床構造では、例えば、支持部材が床下地パネル、捨張材、仕上材を支持し、捨張材の両面に制振材又は遮音材を配置した状態としている（例えば、特許文献１参照）。
【０００３】
従来の制振材には、重い材料が用いられているうえに、この従来の床構造では、制振材又は遮音材を床全面に配置することになり、施工性が悪い。  
【特許文献１】特許第２９１８９０７号公報
【発明の開示】
【発明が解決しようとする課題】
【０００４】
本発明は、上記事実を考慮して、床衝撃音の遮断性能が良好で施工性を向上させる床構造を提供することを課題とする。
【課題を解決するための手段】
【０００５】
請求項１に記載する本発明の床構造は、床スラブ上に設けられる複数の支持手段と、前記支持手段上に支持され、前記床スラブとの間に間隔をもって配置される床材と、前記支持手段又は前記床材に支持されて複数配置され、振動を減衰させると共に、大振幅の振動が生じうる第１の配置位置では、大きな振動減衰力を備え、前記第１の配置位置に比べて生じる振動が小振幅とされる第２の配置位置では、前記第１の配置位置に比べて小さな振動減衰力を備えた動吸振器と、を有することを特徴とする。
【０００６】
請求項１に記載する本発明の床構造によれば、床材に振動が加わった場合、この振動は、複数の動吸振器へ伝わり、床材から床スラブへの振動を減衰する。ここで、動吸振器は、大振幅の振動が生じうる第１の配置位置では、大きな振動減衰力を備え、第２の配置位置では、第１の配置位置に比べて小さな振動減衰力を備えているので、床材に大振幅の振動が生じた場合にも、床衝撃音が良好に遮断される。また、施工時には、従来のように、制振材又は遮音材を床全面に配置する必要がないので、施工性が良い。
【０００７】
請求項２に記載する本発明の床構造は、請求項１記載の構成において、前記第１の配置位置は、前記床スラブの中央領域の上方、及び、前記床材の上方が区画された状態では区画された各区画部の中央領域の下方、とされる範囲内にあることを特徴とする。
【０００８】
請求項２に記載する本発明の床構造によれば、床スラブの中央領域、又は、各区画部の中央領域での振動は、第１の配置位置に設けられた動吸振器によって、減衰されるので、床衝撃音が良好に遮断される。
【０００９】
請求項３に記載する本発明の床構造は、請求項１又は請求項２に記載の構成において、前記動吸振器は、前記支持手段又は前記床材に支持されて弾性変形可能であって振動を減衰させる弾性部材と、前記弾性部材に支持されて前記弾性部材の弾性変形によって変位して振動を減衰させる質量体と、を備え、前記第２の配置位置に設けられた前記動吸振器の前記質量体は、前記第１の配置位置に設けられた前記動吸振器の前記質量体に比べて、質量が小さいことを特徴とする。
【００１０】
請求項３に記載する本発明の床構造によれば、床材に振動が加わった場合、この振動は、弾性部材へ伝わる。これによって、弾性部材が弾性変形して質量体が振動を吸収するように上下動することで、床材から床スラブへの振動を減衰する。このため、床衝撃音が良好に遮断される。また、第２の配置位置に設けられた動吸振器の質量体は、第１の配置位置に設けられた動吸振器の質量体に比べて、質量が小さくなっているので、床構造全体における質量体の合計質量を抑えることができ、施工性が良い。
【発明の効果】
【００１１】
以上説明したように、本発明の床構造によれば、床衝撃音の遮断性能が良好で施工性を向上させることができるという優れた効果を有する。
【発明を実施するための最良の形態】
【００１２】
本発明における床構造の第１の実施形態を図面に基づき説明する。なお、図中の矢印ＵＰは床構造における上方向を示す。
（第１の実施形態の構成）
図１に示される床構造１０は、主に集合住宅に用いられる二重床（乾式遮音二重床）の構造であり、上階で発せられて階下に伝播する床衝撃音（歩行音、物の落下音、子供の飛び跳ね等）を低減させるための構造である。
【００１３】
床構造１０は、躯体床となるコンクリート製の床スラブ１２と上床材１４との間に、所定の間隔で複数本並べられた床支持具１５を介在させており、床支持具１５の介在によって床スラブ１２と上床材１４との間に空間を形成して遮音効果を得る状態としている。
【００１４】
なお、本実施形態の上床材１４は、下地パネル１４Ａを備えると共に、下地パネル１４Ａ上に捨張材１４Ｂを設け、さらに捨張材１４Ｂ上に仕上げ材１４Ｃを設けた積層構造となっている。ここで、仕上げ材１４Ｃを除いた上床材１４（下地パネル１４Ａ及び捨張材１４Ｂ）、及び、床支持具１５が床下地材である。
【００１５】
図２に示されるように、各床支持具１５は、支持手段としての支持部１６を備えている。支持部１６は、弾性基部材としてのクッションゴム１８と、中間受け部としての中間受け部材２０と、支持部材としての支持ボルト２２と、を備えており、床スラブ１２上に設けられて上床材１４を支持するようになっている。
【００１６】
床スラブ１２上に配置されるクッションゴム１８は、弾性変形可能な円筒状とされ、上床材１４からの振動の減衰用として床スラブ１２上に支持されている。クッションゴム１８上には、中間受け部材２０を介して支持ボルト２２が直立状態で支持されている。
【００１７】
中間受け部材２０は、円筒状とされて中間部にフランジ部２０Ａを備え、円筒部の一方側がクッションゴム１８の筒内側に挿入されると共にフランジ部２０Ａの下面（クッションゴム１８側へ向けられた面）がクッションゴム１８の上面（床スラブ１２側の面と反対側の面）に固着されている。中間受け部材２０の円筒部内周面には、雌ネジ部２０Ｂが形成され、この雌ネジ部２０Ｂには、支持ボルト２２の軸部に形成された雄ネジ部２２Ａが螺合される。これにより、中間受け部材２０が支持ボルト２２に一体化される。
【００１８】
支持ボルト２２は、クッションゴム１８と反対側、すなわち、床スラブ１２と反対方向へ延びて、パネル受け部材２４を介して上床材１４を支持するようになっている。パネル受け部材２４は、円筒状とされて一方開口部から外側へ向けて突き出した鍔部２４Ａを備える。パネル受け部材２４の円筒部２４Ｂは、下地パネル１４Ａの貫通孔１１４Ａ内に挿入されて固着され、鍔部２４Ａの上面（上床材１４側へ向けられた面）が下地パネル１４Ａの下面（床スラブ１２と対向する側の面）に固着される。パネル受け部材２４の円筒部内周面には、雌ネジ部２４Ｃが形成され、この雌ネジ部２４Ｃには、支持ボルト２２の軸部に形成された雄ネジ部２２Ｂが螺合される。これらにより、上床材１４は、支持部１６上に支持されて床スラブ１２との間に間隔をもって配置される。
【００１９】
支持ボルト２２の先端部には、マイナスドライバを差し込むための凹部（図示省略）が形成されており、上床材１４の下地パネル１４Ａに捨張材１４Ｂ、仕上げ材１４Ｃが載せられる前の状態において、マイナスドライバを支持ボルト２２の凹部（図示省略）に差し込んで支持ボルト２２を回転させることによって、床スラブ１２からの下地パネル１４Ａの高さを調節することができるようになっている。
【００２０】
各床支持具１５の高さ方向中間部には、支持部１６に支持された動吸振器２５が設けられ、床構造１０全体としては、図１に示されるように、複数の動吸振器２５が配置される。図２に示されるように、動吸振器２５は、弾性部材としてのクッション台座２６と、質量体２８と、を備え、振動を減衰させるための振動減衰用とされる。
【００２１】
クッション台座２６は、中間受け部材２０のフランジ部２０Ａの上面である受け面２０Ｃに配置されており、クッション台座２６の下面が受け面２０Ｃに接着剤等によって固着されている。クッション台座２６は、円筒状とされて中央に挿入孔２６Ａが形成されており、この挿入孔２６Ａに支持ボルト２２が挿入された状態となっている。クッション台座２６は、上床材１４等からの振動を減衰させるために、中間受け部材２０を介して支持ボルト２２に支持されるものであり、軟質ゴムで構成されて弾性変形可能とされる。
【００２２】
質量体２８は、クッション台座２６の上面に接着剤等によって固着されており、中間受け部材２０、クッション台座２６及び質量体２８は、一体化している。また、質量体２８によって、クッション台座２６には圧縮方向の荷重が作用している。質量体２８は、略円筒状とされて中央に挿入孔２８Ａが貫通形成されており、この挿入孔２８Ａに支持ボルト２２が挿入された状態となっている。質量体２８は、クッション台座２６に支持されることでクッション台座２６の弾性変形によって変位して上床材１４等からの振動を減衰させるようになっている。
【００２３】
なお、本実施形態では、動吸振器２５の１個当りの負担質量、すなわち、床単位面積当りの基本床構造の質量（上床材１４と支持部１６との質量合計）を、床単位面積当りの（動吸振器２５を備えた）床支持具１５の個数で除した値は、６（ｋｇ／個）とされている。この場合における動吸振器２５の質量体２８の質量と床衝撃音レベルの改善量との関係を示す試験結果が表１に示されている。なお、対象の周波数は、６３Ｈｚとし、動吸振器２５における固有振動数の設定値は、５０Ｈｚとした。
【００２４】
【表１】
2007120029.tif 000003
表１における床衝撃音レベルの改善量は、動吸振器を全く取り付けない構成の床構造における重量床衝撃音レベル（ｄＢ）を基準にした改善量である。表１に示されるように、前述の条件においては、動吸振器２５の質量体２８の質量は、２ｋｇ〜４ｋｇの場合に改善量が６ｄＢ以上となって非常に良好であることが分かる。
【００２５】
ここで、本実施形態における動吸振器２５の配置位置、及び、それらの各配置位置における質量体２８の質量について、説明する。
【００２６】
図３の水平断面図には、四隅に柱３０が図示されており、柱３０と柱３０との間が梁３２で渡されると共に、梁３２によって床スラブ１２が囲まれた状態が示されている。図中の二点鎖線で囲まれた範囲（第１配置範囲３４Ａ、第２配置範囲３４Ｂ）は、動吸振器２５を備えた床支持具１５の配置範囲であり、この範囲（第１配置範囲３４Ａ、第２配置範囲３４Ｂ）内に動吸振器２５が配置される。
【００２７】
第１配置範囲３４Ａは、床スラブ１２の中央領域１２Ｃの上方（図３の紙面手前側）とされている（図３では、床スラブ１２の中央領域１２Ｃは、二点鎖線で囲まれた第１配置範囲３４Ａと同じ範囲で示される。）。また、４箇所設けられる第２配置範囲３４Ｂは、第１配置範囲３４Ａを取り巻く部分であり、第１配置範囲３４Ａと四隅の柱３０との中間部となっている。
【００２８】
ここで、振動状態とされた床スラブ１２は、その部位によって、振幅（振動の幅の半分）の大きさが異なり、図４の模式図に示されるように、床スラブ１２は、梁３２で囲まれた中央点１２Ｍの振幅Ａが最も大きく（撓み量が最も大きく）、梁３２に近づくほど小さく（撓み量が小さく）なるので、本実施形態では、これに対応させるために、床スラブ１２は、梁３２で囲まれた（中央点１２Ｍを含む）中央部に大きな振動減衰力が作用するような構成としている。
【００２９】
すなわち、図３に示される床スラブ１２によって大振幅の振動（低周波振動）が生じうる第１配置範囲３４Ａ内における配置位置（第１の配置位置（図１のＸ１））では、図２に示される動吸振器２５の質量体２８の質量を大きくして（本実施形態では２ｋｇとして）、大きな振動減衰力が生じるようにしている。図１では、第１配置範囲３４Ａ（図３参照）内の動吸振器２５を図中の真ん中に示しており、質量が大きい質量体２８を括弧書きで符号２８Ｂとしている。
【００３０】
一方、第２配置範囲３４Ｂ（図３参照）、すなわち、第１の配置位置Ｘ１に比べて生じる振動が小振幅とされる配置位置（第２の配置位置Ｘ２）に設けられた動吸振器２５の質量体２８は、第１の配置位置Ｘ１に設けられた動吸振器２５の質量体２８（２８Ｂ）に比べて、質量が小さくされており（本実施形態では１ｋｇ）、第２の配置位置Ｘ２では、第１の配置位置Ｘ１に比べて小さな振動減衰力が生じるようになっている。図１では、第２配置範囲３４Ｂ（図３参照）内の動吸振器２５を図中の左右に示しており、小さい質量体２８を括弧書きで符号２８Ｓとしている。
【００３１】
なお、第２配置範囲３４Ｂ内における第２の配置位置では、床スラブ１２によって小振幅で高周波の振動が伝わりやすい。
（第１の実施形態の施工手順）
次に、図２に示される床支持具１５を用いて二重床の床構造１０を構成する際の施工手順について説明する。
【００３２】
まず、一体化されたクッションゴム１８、中間受け部材２０、クッション台座２６及び質量体２８を、クッションゴム１８を下にして準備する。
【００３３】
このとき、重い（質量の大きい）質量体２８（２８Ｈ）（図１参照）が固着されたもの（クッションゴム１８、中間受け部材２０、クッション台座２６及び質量体２８の一体化物）は、床スラブ１２の中央領域１２Ｃ（図３参照）へ設置する（質量体２８（２８Ｈ）が図３の第１配置範囲３４Ａ内に配置される。）。
【００３４】
また、図１に示される軽い（質量の小さい）質量体２８（２８Ｓ）が固着されたもの（クッションゴム１８、中間受け部材２０、クッション台座２６及び質量体２８の一体化物）は、床スラブ１２における中央領域１２Ｃ（図３参照）の周囲領域へ設置する（質量体２８（２８Ｓ）が図３の第２配置範囲３４Ｂ内に配置される。）。
【００３５】
次に、図２に示される質量体２８の挿入孔２８Ａ及びクッション台座２６の挿入孔２６Ａに支持ボルト２２を上方から挿入し、支持ボルト２２の雄ネジ部２２Ａを中間受け部材２０の雌ネジ部２０Ｂに螺合させて取り付け、直立させる。次に、支持ボルト２２の雄ネジ部２２Ｂにパネル受け部材２４の雌ネジ部２４Ｃを螺合させる。
【００３６】
次に、パネル受け部材２４の鍔部２４Ａ上に下地パネル１４Ａを敷設してパネル受け部材２４に下地パネル１４Ａを固着する。ここで、マイナスドライバを支持ボルト２２の凹部（図示省略）に差し込んで支持ボルト２２を回転させることによって、床スラブ１２からの下地パネル１４Ａの高さを調節する。
【００３７】
次に、下地パネル１４Ａ上に捨張材１４Ｂが敷設され、捨張材１４Ｂ上に仕上げ材１４Ｃが敷設される。以上によって、二重床の床構造１０が構成される。
【００３８】
このように、施工時には、従来のように、制振材又は遮音材を床全面に配置する必要がないので、施工性が良く、また、軽量で安価な床構造１０とすることができる。
【００３９】
また、図１に示されるように、床支持具１５の設置位置に応じて、動吸振器２５における質量体２８の質量を変えることで、床構造全体における質量体２８の合計質量を抑えることができ、施工性が良い。
（第１の実施形態の作用）
次に、上記の実施形態の作用を説明する。
【００４０】
上階で発せられた床衝撃音（例えば、歩行音等）の振動は、図１に示される上床材１４からパネル受け部材２４、支持ボルト２２、及び、中間受け部材２０を介してクッション台座２６へ伝わる。これによって、クッション台座２６が弾性変形し、質量体２８が振動を吸収するように上下動することで、振動を減衰する。
【００４１】
図２に示されるように、クッション台座２６は、支持ボルト２２を囲んで配置されているため、支持ボルト２２に沿って弾性変形することになり、また、質量体２８も支持ボルト２２を囲んで配置されているため、支持ボルト２２に沿って移動することになるので、動吸振の作用が安定する。
【００４２】
また、中間受け部材２０にクッション台座２６が固着され、クッション台座２６に質量体２８が固着されているので、例えば、振動によって質量体２８がクッション台座２６から浮く等のような無駄な移動を抑えられ、また、質量体２８の移動を振動周期に追従させ易くなるので、動吸振効果を高めることができる。
【００４３】
ここで、図１に示される動吸振器２５は、大振幅の振動（低周波振動）が生じうる第１の配置位置Ｘ１では、重い（質量の大きい）質量体２８（２８Ｈ）によって大きな振動減衰力が作用し、第２の配置位置Ｘ２では、第１の配置位置Ｘ１に比べて軽い（質量の小さい）質量体２８（２８Ｓ）によって小さな振動減衰力が作用することになるので、上床材１４に大振幅の振動（低周波振動）が生じた場合にも、床衝撃音が良好に遮断される。
【００４４】
動吸振器２５によって減衰された振動は、さらにクッションゴム１８によって減衰されて床スラブ１２へ伝わる。このため、床衝撃音が良好に遮断される。
【００４５】
また、床スラブ１２の振動に対しても、同様に動吸振器２５が作用し、特に、床スラブ１２の中央領域１２Ｃ（図３参照）での振動は、第１の配置位置Ｘ１に設けられた重い（質量の大きい）質量体２８（２８Ｈ）を備えた動吸振器２５によって、効果的に減衰される。
（試験例）
上記実施形態の床構造における床衝撃音の遮断性能及び施工性を確認するために、以下に示す実施例に係る床構造（以下、単に「実施例」という）と、比較例に係る床構造（以下、単に「比較例」という）との比較試験を行った。
【００４６】
実施例は、上記実施形態で説明した床構造と同様の構成である。比較例は、動吸振器における質量体の質量をすべて２ｋｇとした点を除いて実施例と同様の構成である。
【００４７】
動吸振器を全く取り付けない構成の床構造における重量床衝撃音レベルを基準にして、床衝撃音の周波数毎に、重量床衝撃音レベルの改善量（ｄＢ）を調べた。なお、比較した周波数は、６３Ｈｚ、１２５Ｈｚ、２５０Ｈｚ、５００Ｈｚとした。
【００４８】
試験結果を表２に示す。
【００４９】
【表２】
2007120029.tif 000004
実施例の場合にも、比較例の場合とほぼ同様に、重量床衝撃音レベルが改善された。すなわち、図３に示される第２配置範囲３４Ｂ内に配置する質量体２８（２８Ｓ）（図１参照）の質量を、第１配置範囲３４Ａ内に配置する質量体２８（２８Ｂ）（図１参照）の質量に比べて小さくしても、重量床衝撃音レベルが十分に改善された。
【００５０】
また、第２配置範囲３４Ｂ内に配置する質量体２８（２８Ｓ）（図１参照）の質量を小さくしたことで、比較例に比べて施工性が向上した。
（第２の実施形態）
次に、第２の実施形態における床構造について、図５を参照しながら説明する。第２の実施形態は、上床材１４の上方が複数の区画部（部屋等）に区画された状態である場合であり、各々の区画部内の位置に応じて動吸振器２５による振動減衰力を変えている点が特徴である。他の構成については、第１の実施形態とほぼ同様の構成であるので、同一符号を付して説明を省略する。
【００５１】
図５の平面図は、上床材１４の上方が壁４０によって複数の区画部（部屋４２等）に区画された状態を示している。なお、符号４６は、通常時に人や物の出入りがない空間である。
【００５２】
図中の二点鎖線で囲まれた範囲（第３配置範囲５０Ａ、第４配置範囲５０Ｂ、第５配置範囲５０Ｃ）は、動吸振器２５を備えた床支持具１５の配置範囲であり、この範囲（第３配置範囲５０Ａ、第４配置範囲５０Ｂ、第５配置範囲５０Ｃ）内に動吸振器２５が配置される。
【００５３】
第３配置範囲５０Ａは、上床材１４の上方で区画された各部屋４２の中央領域４２Ｃの下方（図５の紙面奥側）とされている（図５では、各部屋４２の中央領域４２Ｃは、二点鎖線で囲まれた第３配置範囲５０Ａと同じ範囲で示される。）。また、各部屋４２に４箇所設けられる第４配置範囲５０Ｂは、第３配置範囲５０Ａを取り巻く部分であり、第３配置範囲５０Ａと各部屋４２のコーナ部（四隅部）との中間部となっている。第５配置範囲５０Ｃは、上床材１４の上方で壁４０に挟まれた廊下４４の中央領域の下方（図５の紙面奥側）とされている。
【００５４】
上床材１４によって大振幅の振動（低周波振動）が生じうる第３配置範囲５０Ａ内における配置位置（第１の配置位置）では、図２に示される動吸振器２５の質量体２８の質量を大きくして（本実施形態では２ｋｇとして）、大きな振動減衰力が生じるようにしている。
【００５５】
一方、図５に示される各部屋４２において、第４配置範囲５０Ｂ、すなわち、第３の配置位置５０Ａに比べて生じる振動が小振幅とされる配置位置（第２の配置位置）に設けられた動吸振器２５の質量体２８は、第１の配置位置に設けられた動吸振器２５の質量体２８に比べて、質量が小さくされており（本実施形態では１ｋｇ）、第４の配置位置５０Ｂでは、第３の配置位置５０Ａに比べて小さな振動減衰力が生じるようになっている。
【００５６】
また、第５配置範囲５０Ｃは、人が廊下４４を歩行等した状態では上床材１４によって大振幅の振動（低周波振動）が生じうるので、図２に示される動吸振器２５の質量体２８の質量を大きくして（本実施形態では２ｋｇとして）、大きな振動減衰力が生じるようにしている。
【００５７】
このように、動吸振器２５における質量体２８の質量を、配置する部位の振動特性に応じて適宜選択することで、動吸振器２５の特性を変え、重量衝撃音の効果的な遮断を図りながら、床構造１０の全体の質量増加を抑えられ、安価で施工が容易になる。
（他の実施形態）
なお、上記実施形態では、動吸振器２５における弾性部材としてのクッション台座２６が、支持手段としての支持部１６に支持されているが、動吸振器における弾性部材が床材に支持される構成としてもよい。
【００５８】
また、上記実施形態では、弾性部材が軟質ゴムで構成されたクッション台座２６である場合を例に挙げて説明したが、弾性部材は、例えば、圧縮コイルバネ等のような弾性変形可能な他の弾性部材であってもよい。
【００５９】
さらに、上記実施形態では、弾性部材としてのクッション台座２６が接着剤等によって中間受け部材２０に固着されているが、弾性部材は、例えば、支持部材に直接固着される等のように、上記実施形態以外の配置された位置に固着される構成としてもよい。また、弾性部材は、機械的接合によって中間受け部等の配置された位置に取り付けられてもよい。
【００６０】
さらにまた、上記実施形態では、中間受け部としての中間受け部材２０が、支持部材としての支持ボルト２２に取り付けられて一体化されているが、支持部材の一部に中間受け部を形成してもよい。
【００６１】
なお、上記実施形態では、床スラブ１２がコンクリート製であるコンクリート床の場合について説明したが、床スラブは、木製等の他の床スラブであってもよい。
【００６２】
また、上記実施形態では、動吸振器２５における質量体２８の質量を変えることによって振動減衰力を変えているが、動吸振器２５におけるクッション台座２６の弾性力を変えることによって振動減衰力を変えてもよい。
【００６３】
さらに、上記実施形態では、第１の配置位置は、床スラブ１２の中央領域１２Ｃの上方（図３の紙面手前側）の第１配置範囲３４Ａ内や、上床材１４の上方が区画された状態では区画された各部屋４２（区画部）の中央領域４２Ｃの下方（図５の紙面奥側）とされる第３配置範囲５０Ａ内とされているが、第１の配置位置は、例えば、床スラブの材質が均一とされない場合であって床スラブの中央領域以外の特定領域が撓みやすい場合には、その撓みやすい特定領域の上方の範囲内の位置とされる等のように、他の配置位置であってもよい。
【００６４】
さらにまた、床構造部分を改修する場合のように、対象となる床スラブ（躯体）が限定される場合や、特定の周波数に対する改善が必要な場合等には、その床スラブ（躯体）の特性や位置に応じて動吸振器を配置してもよい。
【図面の簡単な説明】
【００６５】
【図１】本発明の第１の実施形態に係る床構造の縦断面を示す断面図である（図３の１−１線断面に対応する）。
【図２】図１の床支持具を拡大した拡大断面図である。
【図３】本発明の第１の実施形態における動吸振器を備えた床支持具の配置範囲を示す水平断面図である。
【図４】本発明の第１の実施形態における床スラブの振動状態を示す模式図である。
【図５】本発明の第２の実施形態における動吸振器を備えた床支持具の配置範囲を示す平面図である。
【符号の説明】
【００６６】
１０    床構造
１２    床スラブ
１２Ｃ  床スラブの中央領域
１４    上床材（床材）
１６    支持部（支持手段）
２５    動吸振器
２６    クッション台座（弾性部材）
２８    質量体
４２    部屋（区画部）
４２Ｃ  部屋の中央領域（区画部の中央領域）
Ｘ１    第１の配置位置
Ｘ２    第２の配置位置
【図１】
2007120029.tif 000005
【図２】
2007120029.tif 000006
【図３】
2007120029.tif 000007
【図４】
2007120029.tif 000008
【図５】
2007120029.tif 000009